【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
電動機式のリニア駆動装置（１０）であって、駆動モータと回転数減速伝動装置とから形成された駆動ユニットがスピンドル（１１）を駆動するために設けられており、該スピンドル（１１）には、このスピンドル（１１）の長手方向に回転方向に関連して移動可能なスピンドルナット（１３）が装着されており、該スピンドルナット（１３）が、同期的に運動可能なリフティング管（１５）と移動作用をもって結合されており、該リフティング管（１５）の、駆動ユニットとは反対側の自由端部領域に、接続部材（２６）が装着されており、制動兼伝達手段（１７）を備えたブレーキ装置（１４）を用いて、リフティング管（１５）の直線的な速度成分が、少なくとも駆動モータの遮断時に調整可能である形式のものにおいて、スピンドルナット（１３）がブレーキ装置（１４）と作用結合されており、駆動モータの投入接続時におけるリフティング管（１５）の移動作用において、スピンドルナット（１３）が摩擦力結合式にブレーキ装置（１４）と駆動作用をもって結合されていて、リニア駆動装置（１０）のハウジング部分によって回動不能に配置されており、少なくとも駆動モータの遮断時に、ブレーキ装置（１４）からスピンドルナット（１３）に対して作用する力が、スピンドルナット（１３）が回転可能であるように、調整作用をもって低減可能であり、リフティング管（１５）の直線的な速度成分が、ブレーキ装置（１４）からスピンドルナット（１３）に伝達されるブレーキ力によって影響可能であることを特徴とする、電動機式のリニア駆動装置。
【請求項２】
リフティング管（１５）が回動不能に配置されており、スピンドルナット（１３）が、リフティング管（１５）に堅く挿入された軸受エレメント（２５）を用いて回転可能に支承されている、請求項１記載の電動機式のリニア駆動装置。
【請求項３】
リフティング管（１５）がスピンドルナット（１３）と堅く結合されており、リフティング管（１５）がその自由な端部領域で、接続部材（２６）内に回転可能に支承されている、請求項１記載の電動機式のリニア駆動装置。
【請求項４】
軸受エレメントが、滑り軸受材料から製造された軸受ブシュ（２５）として、スラスト滑り軸受として又はころがり軸受として形成されている、請求項２又は３記載の電動機式のリニア駆動装置。
【請求項５】
ブレーキ装置（１４）の制動兼伝達手段が、少なくとも１つのコイルばね（１７）、多板クラッチ、円錐ブレーキ、ディスクブレーキ、シューブレーキ又はこれに類したものから形成されている、請求項１記載の電動機式のリニア駆動装置。
【請求項６】
ブレーキ装置（１４）が、スピンドルナット（１３）に回動不能に装着された少なくとも１つのブシュ（１６）と、該ブシュ（１６）を取り囲む少なくとも１つの制動兼伝達手段（１７）と、外部から操作可能なハンドル（２７）とから成っており、制動兼伝達手段もしくはコイルばね（１７）の端部領域又は中央領域が、ハンドル（２７）と作用結合されている、請求項１記載の電動機式のリニア駆動装置。
【請求項７】
スピンドルナット（１３）が、ガイド部材によって回動不能に案内されていて、該ガイド部材が、電動機式のリニア駆動装置（１０）のハウジングに対して回転可能に支承されている、請求項１記載の電動機式のリニア駆動装置。
【請求項８】
コイルばね（１７）が、複数の巻条を備えていて少なくとも２つのコイル状に曲げられた区分（１７ａ，１７ｂ）から成っており、これらの区分（１７ａ，１７ｂ）が中央ウェブ（３６）によって互いに結合されていて、該中央ウェブ（３６）がコイル状の形状とは異なっていて、有利にはコイルばね（１７）の長手方向中心軸線に対して平行にかつ間隔をおいて延びている、請求項６記載の電動機式のリニア駆動装置。
【請求項９】
制動兼伝達手段のすべての区分もしくはコイルばね（１７）のすべての区分（１７ａ，１７ｂ）が、一緒に又は相前後して操作可能であり、その結果ブレーキ作用が一緒に又は所定の順番で相前後して調整可能である、請求項６から８までのいずれか１項記載の電動機式のリニア駆動装置。
【請求項１０】
ハンドル（２７）が切換えロッド（２８）を有しており、該切換えロッド（２８）の長手方向中心軸線が、スピンドル（１１）の長手方向中心軸線に対して平行にかつ間隔をおいて延びており、切換えロッド（２８）の回転軸線がその長手方向中心軸線に対してずらされている、請求項６記載の電動機式のリニア駆動装置。
【請求項１１】
切換えロッド（２８）がほぼスピンドル（１１）の領域にわたって延びている、請求項１０記載の電動機式のリニア駆動装置。
【請求項１２】
切換えロッド（２８）が円形リング状の横断面又は円形リング状の横断面区分を有しており、該横断面又は横断面区分の円中心点が、スピンドル（１１）の長手方向中心軸線に沿って又は該長手方向中心軸線に対して平行に延びており、その結果スピンドルナット（１３）に対して作用する力を減じるために、切換えロッド（２８）が回転軸線を中心にして回転させられるか又は軸線に沿って移動可能であり、又は切換えロッド（２８）が回転可能でかつ軸方向移動可能である、請求項１０又は１１記載の電動機式のリニア駆動装置。
【請求項１３】
制動兼伝達手段もしくはコイルばね（１７）によって取り囲まれたブシュが、スピンドルナット（１３）の終端位置を規定するリミットスイッチ（２０）を操作するための切換え突子（１９）を備えている、請求項１から１２までのいずれか１項記載の電動機式のリニア駆動装置。
【請求項１４】
切換え突子（１９）を備えたブシュが、スピンドル（１１）の長手方向に延びるウェブを有しており、該ウェブが、ハウジング、ハウジング区分、ガイド部材又はフランジ管（１２）の長手方向溝内を延びている、請求項１３記載の電動機式のリニア駆動装置。
【請求項１５】
切換え突子（１９）及び、スピンドル（１１）の長手方向に延びるウェブが、スピンドルナット（１２）と回転可能に結合されており、制動兼伝達手段もしくはコイルばね（１７）がハウジング区分、ガイド部材又はフランジ管（１２）と結合されていて、制動兼伝達手段（１７）によってもたらされる力が減じられた時に、接続された部材の移動速度が変化するようになっている、請求項１３又は１４記載の電動機式のリニア駆動装置。
【請求項１６】
ハウジング区分、ガイド部材又はフランジ管（１２）がリニア駆動装置（１０）のハウジングに対して回転可能に支承されている、請求項１５記載の電動機式のリニア駆動装置。
【請求項１７】
スピンドルナット（１３）に装着されていて制動兼伝達手段もしくはコイルばね（１７）と作用結合されているブシュ（１６）に、切換えロッド（２８）によって回転可能な切換えリング（１８）が支承されていて、該切換えリング（１８）に、制動兼伝達手段もしくはコイルばね（１７）の端部領域又は中央領域が固定されている、請求項１から１６までのいずれか１項記載の電動機式のリニア駆動装置。
【請求項１８】
制動兼伝達手段もしくはコイルばね（１７）の一方の端部が、別のリングと堅く結合されていて、該別のリングが切換え突子（１９）と、スピンドル（１１）の長手方向に延びるウェブとを有していて、該ウェブがフランジ管（１２）の長手方向溝内において案内されており、フランジ管（１２）に、それぞれの終端位置において電動機を最終オフするためのリミットスイッチ（２０）が設けられており、該リミットスイッチ（２０）が切換え突子（１９）によって操作可能である、請求項１から１７までのいずれか１項記載の電動機式のリニア駆動装置。
【請求項１９】
リフティング管（１５）がスピンドルナット（１３）との結合領域に雌ねじ山（４６）を有しており、該雌ねじ山（４６）がスピンドルナット（１３）の雄ねじ山と螺合している、請求項１記載の電動機式のリニア駆動装置。
【請求項２０】
リフティング管（１５）に、スピンドルナット（１３）の配属された領域において、保持スリーブ（３７）が装着されていて、該保持スリーブ（３７）が、内方に向かって張り出したリング状の付加部（４５）を有しており、スピンドルナット（１３）とリフティング管（１５）と保持スリーブ（３７）とが互いに整合する切欠きを有しており、これらの部材を互いに形状結合式に結合させるために該切欠きに、例えば嵌合キー（４２）のような結合エレメント又は結合区分が係合している、請求項１９記載の電動機式のリニア駆動装置。
【請求項２１】
リフティング管（１５）と保持スリーブ（３７）とが、例えばねじ山区分又は変形区分によって、形状結合式に互いに結合されている、請求項１９又は２０記載の電動機式のリニア駆動装置。
【請求項２２】
保持スリーブ（３７）に単数又は複数のコイルばね（１７）が装着されていて、該コイルばね（１７）の内径が、保持スリーブ（３７）に取り付けられていない状態では、取り付けられた状態におけるよりも小さいので、装着された状態でコイルばね（１７）の内周面が摩擦力結合式に保持スリーブ（３７）と直接的に結合される、請求項１９から２１までのいずれか１項記載の電動機式のリニア駆動装置。
【請求項２３】
少なくとも１つのコイルばね（１７）に、該コイルばね（１７）の内周面と保持スリーブ（３７）の外周面との間に配置されたブシュ（１６）及び／又は支持リング（４４）が配属されている、請求項１９から２２までのいずれか１項記載の電動機式のリニア駆動装置。
【請求項２４】
ブシュ（１６）が、例えば嵌合キー（４２）のような結合エレメントによって、保持スリーブ（３７）及び／又はリフティング管（１５）及び／又はスピンドルナット（１３）と結合されている、請求項２３記載の電動機式のリニア駆動装置。
【請求項２５】
支持リング（４４）に長手方向スリットが設けられていて、段部から形成された付加部又は円板の間にルーズに位置しており、摩擦力が所属のコイルばね（１７）から保持スリーブ（３７）に伝達可能であり、かつ／又は摩擦結合によってトルクが所属のコイルばね（１７）からスピンドルナット（１３）に伝達可能である、請求項２３又は２４記載の電動機式のリニア駆動装置。
【請求項２６】
各コイルばね（１７）の一方の端部がＬ字形に曲げられていて、ガイドフランジ（２１）の対応する切欠きに係合しており、各コイルばね（１７）の第２の端部が切換えリング（１８）と作用結合している、請求項１９から２５までのいずれか１項記載の電動機式のリニア駆動装置。
【請求項２７】
各切換えリング（１８）がガイドフランジ（２１）に対して回転可能に支承されていて、切換えリング（１８）の回動時に、各切換えリング（１８）に配属されたコイルばね（１７）の直径が変化可能である、請求項２６記載の電動機式のリニア駆動装置。
【請求項２８】
ガイドフランジ（２１）に、フランジ管（１２）の長手方向溝内に滑動可能に係合するウェブが一体成形されている、請求項１９から２７までのいずれか１項記載の電動機式のリニア駆動装置。